(57)【要約】本発明の保持クリップ（１）は、複数の、ほぼ並列に延びる細長い物体（２）特にライン、パイプあるいはケーブルを同時に構造体に固定することを可能にし、受け部（８）が該細長い物体（２）のために作られた基部部分を備え、さらに２つの受け部（８）の間に配置され、前側（１２）及び後側（１２）を有する少なくとも１つの中間壁（４、４’）を備える。細長い物体（２）を受け部（８）に固定するために、少なくとも１つの第１ロック用フィンガ（５）が中間壁（４、４’）の前側（１２）に設けられ、少なくとも１つの第２ロック用フィンガ（６）が該中間壁（４、４’）の後側（１１）設けられる。本発明は、各々のロック用フィンガの幅ＢＲが中間壁（４、４’）の幅ＢＺよりも小さいこと、及び第１ロック用フィンガ（５）が第２ロック用フィンガ（６）に対してオフセット位置に配置されて、重なりを生じないようにされることにより特徴付けられる。保持クリップ（１）は、横方向にオフセットされたロック用フィンガ（５，６）により、コンパクトな設計を有して、該保持クリップ（１）が実質的に拡げられることなく複数の物体を該保持クリップ（１）に置くようにすることを可能にし、これにより複数の物体を単純な方法により締結することが可能になる。
2005502834.tif 000002
【特許請求の範囲】
【請求項１】
基部部分（３）を有し、該基部部分（３）に細長い物品（２）のための複数の受け部（８）が形成され、２つの受け部（８）の間に少なくとも１つの仕切り（４、４’）を有し、該仕切りは前側（１２）と後側（１１）とを備え、前記細長い物品（２）を前記受け部（８）に保持するために、前記仕切り（４、４’）の前記前側（１２）に少なくとも１つの第１ラッチ用フィンガ（５）が、前記後側（１１）に少なくとも１つの第２ラッチ用フィンガ（６）がもうけられた、特定的にはほぼ並列に延びる複数の細長い物品（２）、特定的にはライン、パイプ又はケーブルを同時に構造体に締結するための保持クリップ（１）であって、
各々のラッチ用フィンガの幅（ＢＲ）が、前記仕切り（４、４’）の幅（ＢＺ）より小さく、前記第１ラッチ用フィンガ（５）は、重なりを生じないように、前記第２ラッチ用フィンガ（６）に対してオフセット配置されたことを特徴とする保持クリップ（１）。
【請求項２】
前記第１ラッチ用フィンガ（５）は、前記第２ラッチ用フィンガ（６）に対して横方向にオフセットして、特定的には、前記仕切り（４、４’）の幅（ＢＺ）の５％から２０％の距離だけ、好ましくは前記仕切り（４、４’）の幅（ＢＺ）の１０％から１５％の幅（Ａ）だけオフセットして配置されたことを特徴とする請求項１に記載の保持クリップ（１）。
【請求項３】
前記仕切り（４、４’）が前記オフセットされたラッチ用フィンガ（５、６）の間で屈曲形状にされたことを特徴とする請求項１又は請求項２に記載の保持クリップ（１）。
【請求項４】
前記仕切り（４、４’）が開口部（１３）、特定的にはスロットを有することを特徴とする前記請求項のいずれか１つに記載の保持クリップ（１）。
【請求項５】
前記仕切り（４、４’）の両側（１１、１２）に、２つ又はそれ以上の垂直方向にオフセットされたラッチ用フィンガ（５、５’、６、６’）がそれぞれ配置されたことを特徴とする前記請求項のいずれか１つに記載の保持クリップ（１）。
【請求項６】
前記仕切り（４、４’）の幅（ＢＺ）に対する個々のラッチ用フィンガ（５、６）の幅（ＢＲ）の比が１：４から１：２の間であり、特定的にはほぼ２：５であることを特徴とする前記請求項のいずれか１つに記載の保持クリップ（１）。
【請求項７】
前記細長い物品（２）を固定するための外壁（７）が少なくとも１つのラッチ用フィンガ（５、６）を有することを特徴とする前記請求項のいずれか１つに記載の保持クリップ（１）。
【請求項８】
補強構造体（９）により補強された外壁（７）を特徴とする前記請求項のいずれか１つに記載の保持クリップ（１）。
【請求項９】
前記保持クリップ（１）が弾性材料、具体的にはプラスチック材料で作られた前記請求項のいずれか１つに記載の保持クリップ（１）。
【発明の詳細な説明】
【０００１】
（技術分野）
本発明は、基部部分を有し、該基部部分に細長い物品のための複数の受け部が形成され、２つの受け部の間に少なくとも１つの仕切りを有し、該仕切りは前側と後側とを備え、細長い物品を受け部に保持するために、仕切りの前側に少なくとも１つの第１ラッチ用フィンガが、後側に少なくとも１つの第２ラッチ用フィンガが設けられた、ほぼ並列に伸びる複数の細長い物品、特定的にはライン、パイプ又はケーブルを構造体に締結するための保持クリップに関する。
【０００２】
（背景技術）
既知の保持クリップは、特に自動車のブレーキライン及びケーブルを単純かつ安価な方法で締結するのに用いられている。止めフィンガの使用により、揺れ或いは振動の結果としてもたらされる意図的でない外れが阻止される。止めフィンガは、物品の移動を組み立て方向にのみ可能にし、逆方向への移動を阻止する。これらは、物品が組み立て方向に導入される際にはわずかな抵抗しか与えず、該物品が組み立て方向とは逆に除去されようとする際には、大きな障害となる。この技術は永年にわたり知られているため、このようなクリップは、製造するのに比較的安価である。
しかしながら、既知の保持クリップには、以下のような欠点がある。
【０００３】
一方では、固定されるべき物品が十分に容易に通過できるようにするために、対抗するブロック用フィンガは、互いに特定の最小距離をもって配置されなければならない。複数の受け部がある場合には、前述の最小距離は加算され、保持クリップが比較的広いスペースを占めることになる結果がもたらされる。
【０００４】
他方では、保持クリップは物品が導入されるときに拡げられる。物品が導入される際には、ラッチ用フィンガが圧縮されて、保持クリップの拡がりが生じるようになる。このことは、特に１つの作業段階において、複数の物品が保持クリップの中に同時に導入される場合には、必要となる付加的な空間が加算されるために、非常に不利となる。保持クリップの変形のために、複数の物品の同時導入は困難であるか又は不可能になる。この拡がりは、保持クリップがコンパクトな設計である際に、特に顕著である。
【０００５】
既知の保持クリップの幾何学的形状により、唯一利用可能な選択は、２つの不利な変形態様であった。すなわち、保持クリップが止めフィンガ間に大きな距離をもつようにするもので、この場合は拡がりは明らかにわずかであったが、該保持クリップは非常に大きいものとなっていた。或いは、保持クリップが止めフィンガ間に最小距離をもつように形成するもので、この場合は該保持クリップは明らかに少しの空間しか占めなかったが、物品導入中の拡がりが非常に大きいものであったため、複数の物品を同時に導入することは困難であるか又は不可能であった。
【０００６】
（発明の開示）
本発明の目的は、したがって、複数の物品の同時挿入中に少量の付加的な空間しか占めず及び／又はわずかな拡張しか示さない、特にコンパクトな保持クリップを提供することである。
前述の目的は、請求項１の特徴に基づく本発明の保持クリップによって達成される。独立に又は組み合わせて生じることがあるさらに別の構成は、従属項の内容である。
【０００７】
基部部分を有し、該基部部分に細長い物品のための複数の受け部が形成され、２つの受け部の間に少なくとも１つの仕切りを有し、該仕切りは前側と後側とを備え、細長い物品を受け部に保持するために、仕切りの前側に少なくとも１つの第１ラッチ用フィンガが、後側に少なくとも１つの第２ラッチ用フィンガが設けられた、ほぼ並列に延びる複数の細長い物品、特定的には、ライン、パイプ又はケーブルを構造体に同時に締結するための本発明による保持クリップは、各々のラッチ用フィンガの幅ＢＲが、該仕切りの幅ＢＺより小さく、該第１ラッチ用フィンガが、重なりを生じないように、該第２ラッチ用フィンガに対してオフセット配置されたことを特徴とする。
【０００８】
ラッチ用フィンガの横方向オフセット配置により達成される効果は、該ラッチ用フィンガが仕切りの片側だけにスプリングバックすればよいということである。隣接するラッチ用フィンガのオフセット配置により、複数の物品導入中の保持クリップの拡がりが減る。特に、保持クリップの拡がりの一部は、該保持クリップの付加的な空間的要求に有利な効果を有する個々の仕切りの回転運動に変換される。本発明によるラッチ用フィンガの配置は、より多くのラッチ用フィンガの配置を可能にし、このことは、さらに高い安全性をもたらす。
【０００９】
基部部分の助けにより、保持クリップはそれ自体が周知である方法により構造体に締結され、例えば車両製造の分野においては、車両の車体に締結される。細長い物品は、受け部により掴まれて、ラッチ用フィンガの助けにより意図しない外れから守られる。仕切りの助けにより、複数の物品を同じ保持クリップで保持することができる。
【００１０】
本発明による保持クリップの有利な構成においては、第１ラッチ用フィンガは、第２ラッチ用フィンガに対して横方向にオフセットして配置される。横方向の配置により、物品の導入中に仕切りの有利な回転運動が行われる。２つのラッチ用フィンガ間の距離は、仕切りの幅の５％から２０％であることが有利であり、仕切りの幅の１０％から１５％であることが好ましい。２つの隣接するラッチ用フィンガ間の距離により達成される効果は、該２つの隣接するラッチ用フィンガが互いに対してわずかな影響しかもたず、そのため、複数の物品がそれぞれの受け部の中に導入される間の保持クリップの不要な拡がりが避けられることである。
【００１１】
本発明による保持クリップのさらに別の有利な構成においては、仕切り壁はオフセットされたラッチ用フィンガの間で屈曲形状にされている。屈曲部により、導入中にラッチ用フィンガの撓みのための空間が形成される。この屈曲部は、一方では、該屈曲部の深さが２つのラッチ用フィンガによって２回利用できるために保持クリップの大きさを減らし、他方では、物品の導入中に、該ラッチ用フィンガが該屈曲部の中に消えることがあるために、導入中の保持クリップの拡がりが減る。
【００１２】
本発明の特別な構成においては、仕切りは、開口部、具体的にはスロットを有する。開口部、具体的にはスロットにより、隣接するラッチ用フィンガは、実質的に互いに独立している。これにより達成される効果は、物品が導入される際に、保持クリップが組み立て方向に低い抵抗を示す付加的な弾性を得ることである。したがって、物品を意図的でない外れから守るラッチ用フィンガの能力は影響を受けないで済む。
【００１３】
本発明のより好ましい構成においては、各々のケースの仕切りの両側に、２つ又はそれ以上の縦方向にオフセットされたラッチ用フィンガが配置される。複数の縦方向にオフセットされたラッチ用フィンガの配置により、物品が受け部から外れることに対する付加的な安全性が達成される。個々のラッチ用フィンガがもはやこの機能を果たせなくなった場合でも、他のものが外れを阻止するのに利用可能である。
【００１４】
本発明においては、仕切りの幅に対する個々のラッチ用フィンガの幅の比は１：４から１：２の間であることが有利であり、特定的にはその比は、おおよそ２：５である。前述の比は、複数の物品を同時に導入している間における保持クリップの拡がりが最小であるという条件で、ラッチ用フィンガの保持能力を最大にすることが有利である。
【００１５】
本発明においては、細長い物品を固定するための保持クリップは、少なくとも１つのラッチ用フィンガを備えた外壁を有する。したがって外壁は、仕切りと同様の保持機能を行う。
【００１６】
外壁には、補強構造体が形成されていることが有利である。物品の導入中に、補強構造体は、ラッチ用フィンガをさらに高い程度にまで弾性的に変形させることにより、保持クリップの拡がりを妨げる。このような、保持クリップの拡がりの減少にも関わらず、複数の物品の同時導入が、本発明の保持フィンガによる配置により可能になる。
【００１７】
本発明による保持クリップは、弾性材料、具体的にはプラスチック材料で作られることが有利である。プラスチック射出成形技術の助けにより、本発明による保持クリップは、製造するのに単純かつ安価である。
【００１８】
独立に及び組み合わせて生じることがあるさらに別の詳細及び有利な構成が、添付の図面を参照して述べられる。図面は、本発明を限定するものではなく、実施例を用いて本発明を明らかにするものに過ぎない。
【００１９】
（発明を実施するための最良の形態）
図１は、本発明による保持クリップ１を、斜め上から見た斜視図である。本発明による保持クリップは、基部部分の受け部１０により構造体（図示せず）に締結することができる基部部分３を備える。基部部分３には、締結されるべき物品２のための受け部８を形成する外壁７、７'及び仕切り４、４'が締結される。仕切り４、４'は、それぞれの受け部８の方向を指すラッチ用フィンガ５、５'、６、６'を有する。ラッチ用フィンガ５、５'、６、６'により、受け部８に位置された物品２は、意図しない外れから守られる。
【００２０】
仕切り４、４'の各々は、前側１２及び後側１１を有する。前側１２にはラッチ用フィンガ５、５'が、後側１１にはラッチ用フィンガ６、６'が形成されている。隣接するラッチ用フィンガ５及び６、及び／又は５'及び６'は、保持クリップ１の縦方向から視認すると、横方向にオフセットされているため、空間を不要に占めるような如何なる重なりもない。それぞれの側の上の仕切り４、４'は、２つの垂直方向にオフセットされたラッチ用フィンガ６、６'及び／又は５、５’のそれぞれを有し、これらは物品を意図しない外れから守る。
【００２１】
仕切り４、４'は、オフセットされたラッチ用フィンガ５、６及び／又は５'、６'の間で屈曲形状にされている。屈曲部は、一方では、物品が導入される際に、ラッチ用フィンガ５、６が撓むのに十分な空間を与え、他方では、保持クリップ１の要求される最小の大きさを減少させる。
【００２２】
外壁７、７'は、側壁７、７'の上方の曲げを減少させる補強構造体９を有する。ラッチ用フィンガ５及び５'及び／又は６及び６'の間の垂直方向のオフセットＨは、受け部８に締結されて保持されるべき物品の直径にほぼ一致する。保持クリップ１は、弾力性があり、とりわけ耐性のあるプラスチック材料で作られる。
【００２３】
図２は、ラインII−IIに沿った図１における保持クリップ１の平面図を示す。物品２（点で示されている）は、仕切り４'及び外壁７'により形成された受け部８に保持されている。仕切り４'、４は、前側１２及び後側１１を有する。前側１２には第１ラッチ用フィンガ５が、後側１１には第２ラッチ用フィンガ６が形成されている。ラッチ用フィンガ５、６により、物品２は、受け部８からの意図されない外れから守られている。
【００２４】
仕切り４、４'は、屈曲形状にされており、屈曲部の深さＴは、ラッチ用フィンガ５、６の材料厚さとほぼ一致する。物品２の導入中に、屈曲部は、ラッチ用フィンガ５、６に、該ラッチ用フィンガ５、６の弾性的な変形により撓むのに十分な空間を与える。さらに、屈曲部は、保持クリップ１のための空間の節約をもたらす。仕切り４、４’の幅ＢＺに対する個々のラッチ用フィンガ５、６の幅ＢＲの比は、おおよそ２：５である。
【００２５】
外壁７、７'は、補強構造体９を有し、これにより該外壁７、７'の付加的な剛性が達成される。付加的な剛性の効果は、複数の物品２が同時に導入される際に、ラッチ用フィンガ５、６がより大きな程度にまで塑性的に変形して空間が節約されるようになり、及び／又は拡がりが削減されるようになることである。
【００２６】
複数の物品２が本発明による保持クリップ１の中に同時に導入されると、該保持クリップの拡がりは、この拡がりの一部が仕切り４、４'の回転運動に変換されるため、ラッチ用フィンガ５、６のオフセット配置の結果として減少される。この拡がりのさらに別の部分は、屈曲部が撓むのに十分なだけのゆとりを有することの結果として、ラッチ用フィンガ５、６によって占められる。
【００２７】
仕切り４、４'の弾性を増加させるために、開口部１３が、仕切り４、４'に形成される。開口部１３の効果は、第１ラッチ用フィンガ５が、さらに大きな程度にまで第２ラッチ用フィンガ６から独立しており、これにより複数の物品２が導入されやすくなることである。第１ラッチ用フィンガ５と第２ラッチ用フィンガ６との間の距離Ａは、仕切り４、４'の幅ＢＺの１０から１５％であることが好ましい。外壁７、７'はさらに、これら各々が１つのラッチ用フィンガ５、６を有するということにより、保持機能を有する。
【００２８】
基部部分３を有し、該基部部分に細長い物品２のための複数の受け部８が形成され、２つの受け部８の間に少なくとも１つの仕切り４、４’を有し、該仕切りは前側１２と後側１１を備え、細長い物品２を受け部８に保持するために、仕切り４、４’の前側１２に少なくとも１つの第１ラッチ用フィンガ５が、後側１１に少なくとも１つの第２ラッチ用フィンガ６が設けられた、ほぼ並列に延びる複数の物品、特定的にはライン、パイプ又はケーブルを構造体に同時に締結するための本発明による保持クリップ１は、各々のラッチ用フィンガの幅ＢＲが、該仕切り４、４’の幅ＢＺより小さく、該第１ラッチ用フィンガ５は、如何なる重なりも生じないように該第２ラッチ用フィンガ６に対してオフセット配置されることを特徴とする。横方向にオフセットされたラッチ用フィンガ５、６は、保持クリップ１について特にコンパクトな形式の構成を可能にし、このことは、該保持クリップ１が実質的に拡げられることなく、複数の物品を該保持クリップ１に同時に取り付けることを可能にし、該複数の物品の締結が単純な方法により可能になるという結果がもたらされる。
【図面の簡単な説明】
【００２９】
【図１】本発明における保持クリップの斜視図である。
【図２】ラインII−IIに沿った図１における保持クリップの逆平面図である。
【符号の説明】
【００３０】
１：保持クリップ
２：物品
３：基部部分
４、４’：仕切り
５、５’：第１ラッチ用フィンガ
６、６’：第２ラッチ用フィンガ
７、７’：外壁
８：受け部
９：補強構造体
１０：基部部分受け部
１１：後側
１２：前側
１３：開口部
ＢＲ：個々のラッチ用フィンガ５，６の幅
Ｂ２：仕切り４、４’の幅
Ｔ：屈曲部の深さ
Ｄ、Ｄ’：２つの仕切り４、４’の間の距離
Ｈ：ラッチ用フィンガ５と５’及び／又は６と６’との間の垂直方向のオフセット
Ａ：距離
【国際公開パンフレット】
2005502834.tif 000003
2005502834.tif 000004
2005502834.tif 000005
2005502834.tif 000006
2005502834.tif 000007
2005502834.tif 000008
2005502834.tif 000009
2005502834.tif 000010
2005502834.tif 000011
2005502834.tif 000012
2005502834.tif 000013
2005502834.tif 000014
2005502834.tif 000015
【国際調査報告】
2005502834.tif 000016
2005502834.tif 000017
2005502834.tif 000018
2005502834.tif 000019
2005502834.tif 000020
2005502834.tif 000021